(57)【要約】【目的】遊技機島に列状に配置される遊技機と、遊技機島内部に設置される駆動機器と、に電源を供給する電源供給手段を備えた遊技機島の電源回路装置において、遊技客の邪魔になることなく電源を投入することができる遊技機島の電源回路装置を提供する。【構成】電源供給手段２２，２３は、遊技機２と駆動機器３２それぞれの電源の供給・停止を行う電源操作手段３０を備え、電源操作手段２９は、遊技機島１の端部側面又は中央側面に設置されるため、遊技機島１の電源スイッチ３０が遊技機２の設置されていない遊技機島１の端部側面又は中央側面に配置されるため、遊技客の邪魔になることなく遊技客の動きを見ながら電源を投入することができる。また、遊技機２と遊技機島１内部に設置される駆動機器３２の電源スイッチ３０がそれぞれ設けられるため、遊技機２又は駆動機器３２のどちらか一方の電源のみを落とすことができる。【選択図】　　　図２
2004135719.tif 000002
【特許請求の範囲】
【請求項１】
遊技機島に列状に配置される遊技機と、前記遊技機島内部に設置される駆動機器と、に電源を供給する電源供給手段を備えた遊技機島の電源回路装置において、
前記遊技機と前記駆動機器それぞれの電源の供給・停止を行う電源操作手段を備え、
該電源操作手段は、遊技機島の端部側面又は中央側面に設置されることを特徴とする遊技機島の電源回路装置。
【請求項２】
前記電源操作手段は、前記遊技機島に配置する遊技機それぞれに対応する電源の供給・停止を行う遊技機電源操作手段を備えることを特徴とする請求項１記載の遊技機島の電源回路装置。
【請求項３】
遊技機島に列状に配置される遊技機と、前記遊技機島内部に設置される駆動機器と、に電源を供給する電源供給手段を備えた遊技機島の電源回路装置において、
前記遊技機と前記駆動機器それぞれの電源の供給・停止を行う電源操作手段を備え、
該電源操作手段は、前記遊技機と前記駆動機器それぞれの電源の供給・停止を行うための無線信号を送信する信号送信手段と、該信号送信手段から送信される伝搬信号を受信する信号受信手段と、を備え、
前記信号受信手段は、前記信号送信手段から送信される伝搬信号を前記電源操作手段に伝達する信号出力手段を備えたことを特徴とする遊技機島の電源回路装置。
【請求項４】
前記信号送信手段には、前記遊技機を駆動及び停止させる遊技機動作信号出力手段と、前記駆動機器を駆動及び停止させる機器動作信号出力手段と、を備えたことを特徴とする請求項３記載の遊技機島の電源回路装置。
【発明の詳細な説明】
【０００１】
【発明の属する技術分野】
本発明は、遊技機島に列状に配置される遊技機と、前記遊技機島内部に設置される駆動機器と、に電源を供給する電源供給手段を備えた遊技機島の電源回路装置に関するものである。
【０００２】
【従来の技術】
従来、遊技機島に設置された遊技機と、遊技機島内部に設置される駆動機器に電源を供給する際に効率的な供給を行うために１つの電源供給系統毎に数台の遊技機がまとめられて接続されていた。通常は接続に使用される電線径による制限から１つの電源供給系統には６台程度を上限として遊技機が接続されている。そして、基電源からの電源はブレーカのオン・オフにより１つの遊技機島への電源の供給及び供給停止を行うことができたが、１つの電源供給系統の電源を投入すると同時に数台の遊技機の電源が投入されるため、同じ電源供給系統に接続される遊技機の大当たり決定の更新周期が同じになってしまい不正の対象となっていた。
【０００３】
このような問題を解決する方法として、複数の遊技機の全部が同時に電源オン動作された場合に遅延手段を起動し、相互に無関係な不規則性に基づき記憶された待機時間が経過した時に遅延手段が制御回路の制御動作を開始させることにより、大当たりの決定の更新周期を異ならせるものが提案されている（例えば、特許文献１参照）。
【０００４】
また、複数の遊技機の全部が同時に電源オン動作された場合に遅延手段を起動し、遊技機の遅延させる時間を設定できるものも提案されている（例えば、特許文献２参照）。
【０００５】
【特許文献１】
特開２０００−０３７５０６号公報　（第３−６頁、第１図）
【特許文献２】
特開２００１−１９０８０９号公報　（第４−６頁、第１図）
【０００６】
【発明が解決しようとする課題】
しかし、電源投入のタイミングをずらすことにより大当たり決定の更新周期を異ならせることができ、複数の遊技機の電源投入を同時に行うことはできたが、営業中に遊技機１台のみの電源を落とすことができなかった。また、従来用いられていたブレーカは遊技機島中央の欄間位置に設けられ、ブレーカを操作する際遊技客の邪魔となり店の開店と同時に電源を投入すること、又は営業中に電源を落とすことが困難であった。本発明は、上記した事情に鑑みなされたものでありその目的とするところは、遊技客の邪魔になることなく電源を投入することができる遊技機島の電源回路装置を提供することにある。
【０００７】
【課題を解決するための手段】
上記目的を達成するために、請求項１の発明においては、遊技機島に列状に配置される遊技機と、前記遊技機島内部に設置される駆動機器と、に電源を供給する電源供給手段を備えた遊技機島の電源回路装置において、前記電源供給手段は、前記遊技機と前記駆動機器それぞれの電源の供給・停止を行う電源操作手段を備え、前記電源操作手段は、遊技機島の端部側面又は中央側面に設置されることを特徴とする。このように構成することにより、遊技機島の電源スイッチが遊技機の設置されていない遊技機島の端部側面又は中央側面に配置されるため、遊技客の邪魔になることなく遊技客の動きを見ながら電源を投入することができる。また、遊技機と遊技機島内部に設置される駆動機器の電源スイッチがそれぞれ設けられるため、遊技機又は駆動機器のどちらか一方の電源のみを落とすことができる。更に、この配線系統から漏電が発生した場合に、全ての遊技機ごとに電源スイッチを備えたため、それぞれの遊技機に対して電源スイッチのオン・オフを順次行うことで漏電箇所の特定を容易に行うことができる。
【０００８】
また、請求項２の発明においては、前記電源操作手段は、前記遊技機島に配置する遊技機それぞれに対応する電源の供給・停止を行う遊技機電源操作手段を備えることを特徴とする。このように構成することにより、遊技機島に配置する遊技機それぞれに電源スイッチが設けられるため、遊技機の故障等の場合にその遊技機１つのみの電源を落とすことができる。また、遊技機と遊技機島内に設置される駆動機器の電源スイッチを別々に設けたため、１つの遊技機の電源を落としても遊技機島内に設置される駆動機器の電源を落とすことなく安全に作業することができる。
【０００９】
また、請求項３の発明においては、遊技機島に列状に配置される遊技機と、前記遊技機島内部に設置される駆動機器と、に電源を供給する電源供給手段を備えた遊技機島の電源回路装置において、前記電源供給手段は、前記遊技機又は前記駆動機器の電源の供給・停止を行う電源操作手段を備え、前記電源操作手段は、前記遊技機又は前記駆動機器の電源の供給・停止を行うための無線信号を送信する信号送信手段と、該信号送信手段から送信される伝搬信号を受信する信号受信手段と、を備え、前記信号受信手段は、前記信号送信手段から送信される伝搬信号を前記電源操作手段に伝達する信号出力手段を備えたことを特徴とする。このように構成することにより、遊技機又は遊技機島内部に設置される駆動機器の電源の供給・停止を無線により遠隔操作することができ、遊技客の動向を見ながら電源の投入が可能となると共に、電源スイッチのあるところまで出向く必要がなく遊技機島に設置される電源スイッチを封印することができるため、いたずらや埃等によるショートなどの不具合を解消することができる。
【００１０】
また、請求項４の発明においては、前記信号送信手段は、前記遊技機を駆動及び停止させる遊技機動作信号出力手段と、前記駆動機器を駆動及び停止させる機器動作信号出力手段と、を備えたことを特徴とする。このように構成することにより、遊技機の電源を投入又は停止させる信号と、遊技機島内部に設置される駆動機器の電源を投入又は停止させる信号と、が別々の信号であるため、遊技機のみ又は遊技機島内部に設置される駆動機器のみを駆動・停止することができる。
【００１１】
【発明の実施の形態】
以下、本発明の実施形態について図面を参照して説明する。なお、本実施態様においては、遊技機としてパチンコ遊技機２を例示して説明するが、遊技機としてスロットマシンや他の遊技機であってもよい。
【００１２】
まず、本実施形態に係るパチンコ島台１の概略構成について説明する。図１は、本実施形態に係るパチンコ島台１の内部を示す側面図である。
【００１３】
パチンコ島台１は、周知のように、直方体状に枠組み構成され、その長手方向両面に複数のパチンコ遊技機２（図２参照）を背向列設するようになっている。また、パチンコ島台１には、各パチンコ遊技機２に挟持されるように台間玉貸機（図示しない）が設けられており、この台間玉貸機はパチンコ遊技機２と１対１対応するように設けられていると共に、硬貨または紙幣、あるいはプリペイドカード又は貯玉カードによりパチンコ玉を貸し出すようになっている。
【００１４】
また、パチンコ島台１のほぼ中央には、玉磨き揚送装置３が立設されている。本実施形態における玉磨き揚送装置３は、帯状の搬送ベルトによってパチンコ玉を揚送するものであり、その帯状の搬送ベルトがパチンコ島台１の長手方向と直交するように配置されて下部の導入樋３ａから導入したパチンコ玉を上部に研磨しながら揚送して上部の排出口３ｂから次に説明する上部タンク４に排出するものである。
【００１５】
玉磨き揚送装置３の上部には、揚送されたパチンコ玉を一時的に貯留する上部タンク４，５が設けられ、該上部タンク４，５からは、各パチンコ遊技機２にパチンコ玉を供給するための補給樋６が、パチンコ島台１の長手方向左右端部に向かって傾斜状に設けられている。玉磨き揚送装置３により揚送されたパチンコ玉は、まず上部タンク４（以下、上部主タンク４という）に誘導され、上部主タンク４につながる補給樋６及び上部タンク５（以下、上部従タンク５という）に振り分けられる。上部従タンク５に振り分けられたパチンコ玉は、上部従タンク５につながる補給樋６及び移送樋（図示しない）に誘導される。上記した左右の補給樋６，上部主タンク４及び上部従タンク５にパチンコ玉が充満し、上部主タンク４がオーバーフロー状態になると、上部主タンク４でオーバーフローしたパチンコ玉は、上部主タンク４及び上部従タンク５の下方に設置される分岐箱７に誘導され、また、移送樋を介して他のパチンコ島台１から上部従タンク５に送られてくるパチンコ玉も同様に分岐箱７に誘導される。分岐箱７に誘導されたパチンコ玉は、まず、玉磨き揚送装置３の図示右側方に沿って形成される右オーバーフローダクト８に優先的に誘導され、右オーバーフローダクト８からパチンコ島台１の下部にある貯留タンク１６に誘導され、貯留されることとなる。貯留タンク１６がパチンコ玉によって充満し、右オーバーフローダクト８もパチンコ玉で充満されると、分岐箱７からのパチンコ玉は、玉磨き揚送装置３の図示左側方に沿って形成される左オーバーフローダクト９に誘導され、左オーバーフローダクト９からパチンコ島台１の下部にある補助タンク１０に誘導され貯留されることとなる。
【００１６】
一方、上記した補給樋６には、各パチンコ遊技機２にパチンコ玉を誘導する分配シュート１１が各パチンコ遊技機２に対応して設けられている。分配シュート１１によって取り込まれたパチンコ玉は、分配シュート１１の下方に位置する計数補給装置１２により玉数が計数された後、パチンコ遊技機２の背面上部に設けられた賞球タンク（図示しない）に供給され、景品玉や遊技玉として使用される。また、補給樋６の下流端まで流下してきたパチンコ玉を後述するアウト玉回収樋１３ａ，１３ｂに誘導することができるように構成されており、これによりパチンコ玉はパチンコ島台１内を循環している。
【００１７】
一方、パチンコ遊技機２から排出される使用済みのパチンコ玉（アウト玉）は、アウト玉回収ボックス１７で回収された後、下方に排出される。アウト玉回収ボックス１７から排出されたパチンコ玉は、パチンコ島台１の両端部からそのほぼ中央に立設される玉磨き揚送装置３の下部に向けて下り傾斜状に設けられるアウト玉回収樋１３ａ，１３ｂ上に落下せしめられる。
【００１８】
なお、アウト玉回収樋１３ａ，１３ｂは、各パチンコ遊技機２に対応して設けられたアウト玉回収ボックス１７に排出される使用済みのパチンコ玉（アウト玉）を回収するものであり、パチンコ島台１の幅方向中央の位置に長手方向に沿って敷設される誘導レールにより構成されるものである。図示の場合、玉磨き揚送装置３を挟んで右側の第１アウト玉回収樋１３ａの下流端は、中継タンク１４に接続され、玉磨き揚送装置３を挟んで左側の第２アウト玉回収樋１３ｂは、前記補助タンク１０に接続されている。なお補助タンク１０は、連結樋１５を介して貯留タンク１６に接続されている。
【００１９】
また、パチンコ遊技機２の下部には、パチンコ島台１に対してほぼ直交するように外側に向かってカウンター台（図示しない）が突設されている。該カウンター台には、玉箱（図示しない）が載置されるものであり、また、カウンター台の下方には、パチンコ島台１の下部外観を構成する腰板（図示しない）がパチンコ島台１に対して着脱自在に設置されている。この腰板に対応する位置のパチンコ島台１内部には、アウト玉回収樋１３が位置しているため、腰板を取り外すことにより、アウト玉回収樋１３のメンテナンスや玉詰まり等のトラブルに対する処置を容易に行うことができる。
【００２０】
なお、アウト玉回収樋１３は、アウト玉回収ボックス１７から排出されたパチンコ玉、玉抜き用分離機１８から蛇腹１９を介して導出されたパチンコ玉およびパチンコ島台１の島端に設置された玉係数器（図示しない）から返却されるパチンコ玉をまとめて回収するものであり、簀の子状の誘導レールがパチンコ島台１の中央に長手方向に沿って敷設することにより構成されている。このアウト玉回収樋１３は、簀の子状の誘導レールに限らず、ベルトコンベア等により構成されるものであってもよい。
【００２１】
パチンコ島台１の長手方向端部の上方には、玉磨き揚送装置３等のパチンコ島台１内に設置される複数の装置の状態を表示する島端表示ランプ（図示しない）が設置されており、上部タンク５の表面上方には、パチンコ島台１内のパチンコ玉がオーバーフロー状態であるとき等に点灯するフラッシュランプ（図示しない）が設置されている。
【００２２】
このように構成されるパチンコ島台１の電源供給方法について以下に説明する。図２は、パチンコ島台１の配線図であり、図３は、主配線２２と、副配線２３と、パチンコ遊技機２と、トランス２８と、の接続部２４の拡大図であり、図４は、トランス２８の模式図であり、（Ａ）全体図、（Ｂ）拡大図であり、図５は、電源スイッチ装置２９の斜視図であり、図６は、電源スイッチ３０の拡大図であり、（Ａ）押圧式の電源スイッチ３０、（Ｂ）電源操作鍵３１を用いた電源スイッチ３０であり、図７は、パチンコ島台１における電源スイッチ装置２９の設置箇所であり、（Ａ）電源スイッチ装置２９の設置例１、（Ｂ）電源スイッチ装置２９の設置例２である。
【００２３】
図２に示すように、遊技機島としてのパチンコ島台１に列状に配置される遊技機としてのパチンコ遊技機２と、パチンコ島台１内部に設置される駆動機器Ａ３２、駆動機器Ｂ３３と、に電源としての商用電源２０を供給する電源供給手段としての主配線２２、副配線２３を備えたパチンコ島台１の電源回路装置は、商用電源２０からブレーカ２１を介して接続される主配線２２と、電源スイッチ装置２９と接続される副配線２３と、トランス２８と、を接続部２４で接続することによって構成される。
【００２４】
なお、図２に示す回路図では、トランス２８には１台のパチンコ遊技機２が接続されているが、これに限らず、複数のパチンコ遊技機２をトランス２８に接続するようにしてもよい。
【００２５】
図３に示すように、接続部２４は、主配線接続部２５と、副配線接続部２６、トランス接続部２７と、からなり、商用電源２０からの主配線２２は主配線接続部２５に接続される。更に、副配線２３は副配線接続部２６と接続され、パチンコ遊技機２及び駆動機器Ａ３２と接続されたトランス２８はトランス接続部２７と接続される。このように、パチンコ遊技機２及び駆動機器Ａ３２は接続部２４を介して接続されているが、駆動機器Ｂ３３は、接続部２４と接続されずトランス接続部２７を介して主配線２２と直接接続されている。
【００２６】
また、電源回路装置は、パチンコ遊技機２と駆動機器Ａ３２それぞれの電源の供給・停止を行う電源操作手段としての電源スイッチ装置２９（図５参照）を備えており、副配線２３は電源スイッチ装置２９と接続されている。そして、主配線２２から送られた電源は、副配線２３を通して遊技機２７及び駆動機器Ａ３２に供給される。
【００２７】
また、トランス接続部２７にはトランス２８のプラグ３９が挿入され、商用電源２０から供給される電源は、トランス２８を介して所定の電圧に変換されて、パチンコ遊技機２及び駆動機器Ａ３２、駆動機器Ｂ３３に供給される。
【００２８】
なお、本実施形態における接続部２４は、主配線接続部２５と、副配線接続部２６と、トランス接続部２７と、から構成されているが、トランス２８を介して主配線２２に接続されるようにしてもよい。つまり、接続部２４を、トランス接続部と、副配線接続部と、遊技機接続部と、で構成し、トランス２８が複数の凹型の端子を有し且つトランス２８の供給可能な電気容量（Ａ）が複数のパチンコ遊技機２の駆動に必要な総電気容量（Ａ）より大きい時に限り複数の接続部２４をトランス２８に接続するようにしてもよい。このようにすることで、遊技機２それぞれにトランス２８を設けた場合と比べ、１台のトランス２８で複数のパチンコ遊技機２を駆動させることが可能となる。これにより、パチンコ島台１に設置するトランス２８の必要台数を減少させることができる。その結果、埃等の進入を防止するために密閉されたパチンコ島台１内において、トランス２８の発熱による温度上昇を抑制することが可能となるため、パチンコ遊技機２の設置環境を向上させることができる。また、狭小なパチンコ島台１内において、不要なトランス２８の撤去後の空間を有効利用することが可能となるため、パチンコ島台１の外形寸法を大きくすることなく新たな装置を設けることができる。
【００２９】
また、上記したトランス２８には、トランス２８に接続されるパチンコ遊技機２のプラグ４０が抜けるのを防ぐ工夫がなされている。図４（Ａ）に示すように、トランス２８にはトランス接続部２７と接続されるプラグ３９と、パチンコ遊技機２、駆動機器Ａ３２、または駆動機器Ｂ３３のプラグ４０が接続されるコンセント４１が備えられている。このコンセント４１には前述したようにパチンコ遊技機２、駆動機器Ａ３２、または駆動機器Ｂ３３のプラグ４０が接続されるが、玉磨き揚送装置３の稼働時に発生する振動又は補給樋６内をパチンコ玉が転動する際に発生する振動により、或いは、プラグ４０から伸びるコード４２が引っ張られることによりコンセント４１に接続されたプラグ４０が抜けてしまうという不具合が生じていた。そこで、トランス２次側のコンセント４１の下方に抜け防止用フック３８を設けることで、プラグ４０が抜けるのを防いでいる。図４（Ｂ）に示すように、抜け防止用フック３８はプラグ４０のコード４２をトランス２８に引き付けるように固定している。このように構成することにより、防止用フック３８は、これまで振動によりコンセント４１から徐々に抜けていたプラグ４０に対して、抜けようとする動きを抑制する力をコード４２を介して加えることができる。
【００３０】
また、抜け防止用フック３８はプラグ４０のコード４２を一定の遊びを持たせて囲い込むように固定している。このように構成することにより、コード４２の可動範囲を狭くすること無く、しかもこれまでコンセント４１からプラグ４０を抜いてしまっていた引っ張り力がコード４２に加わったとしても、抜け防止用フック３８により引っ張り力が直接プラグ４０に加わることを防止している。また、プラグ４０に引っ張り力が間接的に加わったとしても、引っ張り力の加わる方向を、プラグ４０が最も抜け易い方向（水平方向）から抜け難い方向（斜め下方向）へ転換している。すなわち、抜け防止用フック３８の上記した作用により、玉磨き揚送装置３や補給樋６から振動が伝播したり、コード４２に引っ張り力が加わったとしても、プラグ４０は抜け難くくなっているものである。
【００３１】
図５に示すように、電源スイッチ装置２９には、パチンコ島台１に設置するパチンコ遊技機２及び駆動機器Ａ３２のそれぞれに対応する電源の供給・停止を行う遊技機電源スイッチ手段としての電源スイッチ３０が備えられ、パチンコ島台１に設置されるパチンコ遊技機２及び駆動機器Ａ３２の個々の電源を操作できるようになっている。また、電源スイッチ装置２９に設けられる電源スイッチ３０には、パチンコ遊技機２の台番号が表示されており、電源を操作するパチンコ遊技機２を判断することが容易になり、更には修理や故障の際に電源の操作を行う際に遊技機の特定を楽にすることができる。そして、主配線２２と直接接続される駆動機器Ｂは、ブレーカ２１を操作することにより電源が投入されるが、接続部２４を介して副回線と接続されるパチンコ遊技機２及び駆動機器Ａ３２は、ブレーカ２１を操作しても電源スイッチ装置２９の電源スイッチ３０を操作しない限り電源が投入されない構成となっている。
【００３２】
また、図６（Ａ）に示すように、電源スイッチ装置２９に設けられる電源スイッチ３０内部にはランプ（図示しない）が設けられ、パチンコ遊技機２及び駆動機器Ａ３２の駆動状態を一目で確認できるようになっている。つまり、電源スイッチ３０を操作していない状態（電源スイッチ３０がＯＦＦの状態）では内部に設けられたランプは消えた状態にあり、電源スイッチ３０を操作（電源スイッチをＯＮ）することにより内部に設けられたランプが点灯する。このようにすることで、ランプの点灯状態によりパチンコ遊技機２及び駆動機器Ａ３２の稼動状態を確認しやすくしている。
【００３３】
更に、複数の電源スイッチ３０のうちの１つとして、電源スイッチ装置２９によって電源の供給・停止を操作されるパチンコ遊技機２及び駆動機器Ａ３２の電源を一括して操作する主電源が設けられている。このように構成することで、遊技店の営業終了時における電源断を速やかに行うことができる。
【００３４】
また、電源スイッチ装置２９には電源スイッチカバー２９ａが設けられ、上部からパチンコ玉の落下等により電源スイッチ３０が操作されて不意な電源断が生じることを防止し、また、ショートの原因となる埃等の進入を防ぐことができるようになっている。
【００３５】
なお、上記した第１実施形態においては、電源スイッチ装置２９に電源スイッチ３０を設け、電源スイッチ３０を押圧することで電源供給・停止を行うものを示したが、これに限らず電源の供給を操作するものであればよく、例えば、図６（Ｂ）に示すように電源スイッチ４３としての電源操作錠４４と電源操作鍵３１を設け、電源操作鍵３１により回動させることにより電源供給・停止を行う第２実施形態であってもよい。
【００３６】
また、電源スイッチ３０を薄型にする等によりスイッチの取付面から突出する部分が少ないフラットスイッチ等であってもよい。このように構成することにより、物の落下等による誤操作を更に防ぐことができる。
【００３７】
また、電源スイッチカバー２９ａに施錠装置を設けてもよい。このように構成することにより、悪戯等による不具合を防止することができる。
【００３８】
図７にパチンコ島台１の上部から見た模式図を示す。パチンコ島台１は複数のパチンコ遊技機２が長手方向側面に設置され、その中央内部には駆動機器Ａ３２が設けられている。更に、パチンコ島台１のパチンコ遊技機２の設置される長手方向側面の中央部は開閉開閉可能となっており、駆動機器Ａ３２を操作できるようになっている。本実施形態における電源スイッチ装置２９は、図７（Ａ）に示すようにその長手方向中央側面（設置例１）又は、図７（Ｂ）に示すようにパチンコ島台１のパチンコ遊技機２の設置されていない端部側面（設置例２）に設置される。このようにすることで、従来の欄間位置に設けられていたブレーカ２１を操作する際に生じていた遊技客の邪魔になるという問題を解決することができ、更に遊技客の動きを見ながら電源を投入することができる。
【００３９】
また、上述した第１及び第２実施形態においては、電源スイッチ装置２９に設けられた電源スイッチ３０を操作することで電源供給・停止を行うものを示したが、リモコン装置３６を設け電源の供給・停止を遠隔操作できるようにしてもよい。
【００４０】
このような実施形態（第３実施形態）について、図８を参照して説明する。図８は、リモコン装置３６を用いた第３実施形態におけるパチンコ島台１の配線図である。
【００４１】
図８に示すように、パチンコ島台１に列状に配置されるパチンコ遊技機２と、パチンコ島台１内部に設置される駆動機器Ａ３２、駆動機器Ｂ３３と、に電源を供給する商用電源２０を備えたパチンコ島台１の電源回路装置は、パチンコ遊技機２と駆動機器Ａ３２、駆動機器Ｂ３３それぞれの電源の供給・停止を行う電源スイッチ装置２９を備え、電源スイッチ装置２９は、パチンコ遊技機２と駆動機器Ａ３２、駆動機器Ｂ３３それぞれの電源の供給・停止を行うための無線信号としての伝搬信号３７を送信する信号送信手段としてのリモコン装置３６と、リモコン装置３６から送信される伝搬信号３７を受信する信号受信手段としての受信部３５、を備え、受信部３５は、リモコン装置３６から送信される伝搬信号３７を電源スイッチ装置２９に伝達する信号出力手段としての受信装置３４を備えている。
【００４２】
更に、リモコン装置３６は、パチンコ遊技機２を駆動及び停止させる遊技機動作信号出力手段と、前記駆動機器を駆動及び停止させる機器動作信号出力手段と、を備えている。
【００４３】
つまり、第１及び第２実施形態と同様に、パチンコ島台１に設置された複数のパチンコ遊技機２及び駆動機器Ａ３２は、電源スイッチ装置２９と接続されて電源スイッチ装置２９により電源投入及び停止の操作が行われている。そして、リモコン装置３６を設け、伝搬信号３７を送信することができるようになっている。更に、電源スイッチ装置２９には、受信部３５を備えた受信装置３４が設けられ、伝搬信号３７を受信し、電源スイッチ装置２９に出力できる構成となっている。
【００４４】
また、リモコン装置３６は、複数の伝搬信号３７を送信できる構成となっており、パチンコ遊技機２の駆動・停止を操作するための信号と、駆動機器Ａ３２の駆動・停止を操作するための信号を備えている。そして、リモコン装置３６から送信された伝搬信号３７は受信部３５に受信され受信装置３４により電源スイッチ装置２９に出力される。更に、信号入力を受けた電源スイッチ装置２９は、送信された伝搬信号３７に対応した操作を行う。
【００４５】
なお、本実施の形態では、電源スイッチ装置２９に電源スイッチ３０を設けず、リモコン装置３６から送信される伝搬信号３７でのみ電源の操作を行う構成となっているが、これに限らず伝搬信号３７により外部から電源の操作を行うことが可能なものであればよい。例えば、電源スイッチ装置２９に電源スイッチ３０を設けてもよく、このようにすることでリモコン装置３６又は受信装置３４に異常が生じても電源スイッチ装置２９を操作することで、パチンコ遊技機２及び駆動機器Ａ３２の電源の投入及び停止を操作することができる。
【００４６】
また、リモコン装置３６の表示部分を液晶等で構成し、パチンコ遊技機２の台番号をタッチ入力、ペン入力、テンキー等で入力できるようにし、台番号に対応するＩＤデータ等の情報を含んだ情報として伝搬信号３７を送信することによりパチンコ遊技機２及び駆動機器Ａ３２をオン・オフ操作するようにしても良い。
【００４７】
また、本実施形態では、パチンコ島台１に設けられる駆動機器を駆動機器Ａ３２としている。駆動機器Ａ３２には、玉磨き揚送装置３やコイン洗浄装置等が考えられるがこれらに限定されるものではなく、パチンコ島台１に設置される駆動機器であればなんでもよい。更に駆動機器Ａ３２の電源スイッチ３０の数は１つに限定されるものではなく、複数設けてもよい。例えば、島端表示ランプ等の電源スイッチ３０を新たに設け、玉磨き揚送装置３と島端表示ランプの電源を操作できるようにしてもよい。玉磨き揚送装置３及びコイン洗浄装置は、駆動により大きな音を発生するという不具合が生じていたため、駆動機器Ａ３２として、玉磨き揚送装置３及びコイン洗浄装置の電源スイッチ３０を設けた場合には、遊技客が遊技を行う直前に電源の投入を行うことができ、少なくとも電源の投入を行うまでの間はこれら駆動機器による雑音の発生を防ぐことができる。
【００４８】
また、本実施形態では、パチンコ島台１に設置されるパチンコ遊技機２それぞれに対応する電源スイッチ装置２９を備えた構成となっているが、これに限られるものではない。例えば、１つの電源スイッチ装置２９で３台のパチンコ遊技機２の電源を操作できるようにしてもよい。
【００４９】
また、電源スイッチ装置２９及びブレーカ２１には、落雷による過電流防止用の落雷防止手段としてのサージアブソーバー等を内蔵してもよく、このように構成することにより落雷等により発生した過電流を要因とするパチンコ機２の破損を防止できる。
【００５０】
以上、本発明の実施の形態によれば、パチンコ島台１に列状に配置されるパチンコ遊技機２と、パチンコ島台１内部に設置される駆動機器Ａ３２、駆動機器Ｂ３３と、に電源を供給する主配線２２、副配線２３を備えたパチンコ島台１の電源回路装置において、前記主配線２２、副配線２３は、前記パチンコ遊技機２と前記駆動機器Ａ３２それぞれの電源の供給・停止を行う電源スイッチ装置２９を備え、前記電源スイッチ装置２９は、パチンコ島台１の端部側面又は中央側面に設置されることにより、パチンコ島台１の電源スイッチ装置２９がパチンコ遊技機２の設置されていないパチンコ島台１の端部側面又は中央側面に配置されるため、遊技客の邪魔になることなく遊技客の動きを見ながら電源を投入することができる。また、パチンコ遊技機２とパチンコ島台１内部に設置される駆動機器Ａ３２の電源スイッチ装置２９がそれぞれ設けられるため、パチンコ遊技機２又は駆動機器Ａ３２のどちらか一方の電源のみを落とすことができる。更に、この配線系統から漏電が発生した場合に、全ての遊技機ごとに電源スイッチ３０を備えたため、それぞれの遊技機に対して電源スイッチ３０のオン・オフを順次行うことで漏電箇所の特定を容易に行うことができる。
【００５１】
また、前記電源スイッチ装置２９は、前記パチンコ島台１に配置するパチンコ遊技機２それぞれに対応する電源の供給・停止を行う電源スイッチ３０を備えることにより、パチンコ島台１に配置するパチンコ遊技機２それぞれに電源スイッチ３０が設けられるため、パチンコ遊技機２の故障等の場合にそのパチンコ遊技機２１つのみの電源を落とすことができる。また、パチンコ遊技機２とパチンコ島台１内に設置される駆動機器Ａ３２の電源スイッチ装置２９を別々に設けたため、１つのパチンコ遊技機２の電源を落としてもパチンコ島台１内に設置される駆動機器Ａ３２の電源を落とすことなく安全に作業することができる。
【００５２】
また、パチンコ島台１に列状に配置されるパチンコ遊技機２と、パチンコ島台１内部に設置される駆動機器Ａ３２、駆動機器Ｂ３３と、に電源を供給する主配線２２、副配線２３を備えたパチンコ島台１の電源回路装置において、前記主配線２２，副配線２３は、前記パチンコ遊技機２又は前記駆動機器Ａ３２の電源の供給・停止を行う電源スイッチ装置２９を備え、前記電源スイッチ装置２９は、前記パチンコ遊技機２又は前記駆動機器Ａ３２の電源の供給・停止を行うための伝搬信号３７を送信するリモコン装置３６と、該リモコン装置３６から送信される伝搬信号３７を受信する受信部３５と、を備え、前記受信部３５は、前記リモコン装置３６から送信される伝搬信号３７を前記電源スイッチ装置２９に伝達する受信装置３４を備えたことにより、パチンコ遊技機２又はパチンコ島台１内部に設置される駆動機器Ａ３２の電源の供給・停止を無線により遠隔操作することができ、遊技客の動向を見ながら電源の投入が可能となると共に、電源スイッチ装置２９のあるところまで出向く必要がなくパチンコ島台１に設置される電源スイッチ３０を封印することができるため、悪戯や埃等によるショートなどの不具合を解消することができる。
【００５３】
また、前記リモコン装置３６は、前記パチンコ遊技機２を駆動及び停止させる遊技機動作信号出力手段と、前記駆動機器Ａ３２を駆動及び停止させる機器動作信号出力手段と、を備えたことにより、パチンコ遊技機２の電源を投入又は停止する信号と、パチンコ島台１内部に設置される駆動機器Ａ３２の電源を投入又は停止させる信号と、が別々の信号であるため、パチンコ遊技機２のみ又はパチンコ島台１内部に設置される駆動機器Ａ３２のみを駆動・停止することができる。
【００５４】
【発明の効果】
以上、説明したところから明らかなように、請求項１の発明においては、遊技機島の電源スイッチが遊技機の設置されていない遊技機島の端部側面又は中央側面に配置されるため、遊技客の邪魔になることなく遊技客の動きを見ながら電源を投入することができる。また、遊技機と遊技機島内部に設置される駆動機器の電源スイッチがそれぞれ設けられるため、遊技機又は駆動機器のどちらか一方の電源のみを落とすことができる。更に、この配線系統から漏電が発生した場合に、全ての遊技機ごとに電源スイッチを備えたため、それぞれの遊技機に対して電源スイッチのオン・オフを順次行うことで漏電箇所の特定を容易に行うことができる。
【００５５】
また、請求項２の発明においては、遊技機島に配置する遊技機それぞれに電源スイッチが設けられるため、遊技機の故障等の場合にその遊技機１つのみの電源を落とすことができる。また、遊技機と遊技機島内に設置される駆動機器の電源スイッチを別々に設けたため、１つの遊技機の電源を落としても遊技機島内に設置される駆動機器の電源を落とすことなく安全に作業することができる。
【００５６】
また、請求項３の発明においては、遊技機又は遊技機島内部に設置される駆動機器の電源の供給・停止を無線により遠隔操作することができ、遊技客の動向を見ながら電源の投入が可能となると共に、電源スイッチのあるところまで出向く必要がなく遊技機島に設置されるスイッチを封印することができるため、いたずらや埃等によるショートなどの不具合を解消することができる。
【００５７】
また、請求項４の発明においては、遊技機の電源を投入又は停止させる信号と、遊技機島内部に設置される駆動機器の電源を投入又は停止させる信号と、が別々の信号であるため、遊技機のみ又は遊技機島内部に設置される駆動機器のみを駆動・停止することができる。
【図面の簡単な説明】
【図１】本発明の一実施形態におけるパチンコ島台の内部を示す側面図である。
【図２】本発明の一実施形態におけるパチンコ島台の配線図である。
【図３】本発明の一実施形態における主配線と、副配線と、トランスと、の接続部の拡大図である。
【図４】本発明の一実施形態におけるトランスの模式図であり、（Ａ）全体図、（Ｂ）拡大図である。
【図５】本発明の一実施形態における電源スイッチ装置の斜視図である。
【図６】本発明の一実施形態における電源スイッチの拡大図であり、（Ａ）押圧式の電源スイッチ、（Ｂ）電源操作鍵を用いた電源スイッチである。
【図７】本発明の一実施形態におけるパチンコ島台における電源スイッチ装置の設置箇所であり、（Ａ）電源スイッチ装置の設置例１、（Ｂ）電源スイッチ装置の設置例２である。
【図８】本発明の一実施形態におけるリモコン装置を用いたパチンコ島台の配線図である。
【符号の説明】
１　　パチンコ島台
２　　パチンコ遊技機
２０　　商用電源
２２　　主配線
２３　　副配線
２９　　電源スイッチ装置
３０　　電源スイッチ
３２　　駆動機器Ａ
３３　　駆動機器Ｂ
３４　　受信装置
３５　　受信部
３６　　リモコン装置
３７　　伝搬信号（無線信号）
【図１】
2004135719.tif 000003
【図２】
2004135719.tif 000004
【図３】
2004135719.tif 000005
【図４】
2004135719.tif 000006
【図５】
2004135719.tif 000007
【図６】
2004135719.tif 000008
【図７】
2004135719.tif 000009
【図８】
2004135719.tif 000010